【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
被験者の刺激反応を監視するためのシステムであって、
運動を検知するように構成される運動検知システムであって、前記運動検知システムが、器具(instrument)上に置かれた運動検知部分を含み、前記運動検知部分が、前記刺激反応に対する前記被験者の少なくとも第１の部分の運動を検知するように構成される、運動検知システムと、
(i)前記刺激反応に対する前記被験者の少なくとも前記部分の前記運動検知部分の、起こり得る運動に関する運動信号を受け取り、
(ii)前記運動信号に基づいて運動が検知されたか否か、及び、前記検知された運動が、前記システムによって監視される前記刺激反応に影響を与えたか否か、を決定する、
ように構成される監視システムと、
を備える、システム。
【請求項２】
前記被験者の前記第１の部分で応答を引き起こすために、前記被験者の前記第１の部分から離れた場所に刺激パルスを与えるように構成される刺激電極、
をさらに備える、請求項１に記載のシステム。
【請求項３】
前記器具が、前記被験者の喉頭に設置されるように構成される気管チューブを備え、
前記運動検知部分が前記気管チューブに取り付けられる、
請求項２に記載のシステム。
【請求項４】
前記監視システムが、前記運動検知部分によって前記検知された運動に基づく前記刺激パルスに応答して、前記被験者の前記第１の部分で前記引き起こされた応答を決定するように構成される、請求項２に記載のシステム。
【請求項５】
前記運動検知部分に加えて前記器具上の接点をさらに備え、前記接点が、前記被験者の少なくとも前記第１の部分と接触するように構成され、前記接点が、刺激に対する応答を検知するように構成され、前記刺激が、前記刺激反応を起こしたものである、請求項１に記載のシステム。
【請求項６】
前記接点が、筋電図検査（ＥＭＧ）応答を検知するように構成される導電部材を含む、請求項５に記載のシステム。
【請求項７】
前記監視システムが、前記接点によって前記検知された応答の変化と、前記検出された運動との間の相関性を決定する命令を実行するように構成されるプロセッサを含む、請求項５に記載のシステム。
【請求項８】
前記運動検知部分が、加速度計、ジャイロスコープ、または磁力計のうちの少なくとも１つを含む、請求項１から７のいずれか一項に記載のシステム。
【請求項９】
前記運動検知部分が、少なくとも２つの検知部分を含み、前記２つの検知部分のうちの第１の検知部分が、加速度計、ジャイロスコープ、および磁力計のうちの１つであり、前記２つの検知部分のうちの第２の検知部分が、加速度計、ジャイロスコープ、および磁力計のうちの１つである、請求項１から７のいずれか一項に記載のシステム。
【請求項１０】
前記運動検知部分が、加速度計、ジャイロスコープ、および磁力計のすべてを含む、請求項１から７のいずれか一項に記載のシステム。
【請求項１１】
被験者運動検知部分であって、前記被験者に取り付けられるように構成される、被験者運動検知部分、
をさらに備える、請求項１から１０のいずれか一項に記載のシステム。
【請求項１２】
被験者の刺激反応を監視するためのシステムであって、
前記被験者に設置されるように構成される外面を有するチューブと、
前記外面上に接続され、第１の場所で前記被験者と接触して設置されるように構成される接点であって、刺激に対する応答を検知するように構成される、接点と、
運動を検知するように構成される運動検知システムであって、
前記接点に対する前記チューブに取り付けられた運動検知構成要素、および
前記運動検知構成要素の運動を決定するために、前記運動検知構成要素から信号を受信するように構成される運動モニタ、
を含む、運動検知システムと、
前記刺激に対する前記検知された応答を受け取るように構成される信号監視システムであって、
監視するためのベースラインの検知信号を決定し、現在の信号を、前記決定されたベースライン信号と比較するように構成されるプロセッサ、および、
メッセージをユーザに提示するためのメッセージデバイス、
を含む、信号監視システムと
備える、システム。
【請求項１３】
刺激信号を前記被験者に送信し、前記接点によって検知されることになる神経応答を引き起こすように構成される刺激電極をさらに備える、請求項１２に記載のシステム。
【請求項１４】
前記メッセージデバイスによって提示された前記メッセージが、検知された神経応答の値を含む、請求項１２または１３に記載のシステム。
【請求項１５】
前記運動モニタおよび前記信号監視システムが、単一の監視システムとして統合される、請求項１２から１４のいずれか一項に記載のシステム。
【請求項１６】
前記プロセッサが、前記運動検知構成要素によって送られた運動信号に基づいて前記運動検知構成要素の運動を決定する命令をさらに実行するように構成される、請求項１５に記載のシステム。
【請求項１７】
前記運動検知構成要素が、加速度計、ジャイロスコープ、または磁力計のうちの少なくとも１つを含む、請求項１２から１６のいずれか一項に記載のシステム。
【請求項１８】
前記運動検知構成要素が、加速度計、ジャイロスコープ、または磁力計のうちの少なくとも２つを含む、請求項１２から１６のいずれか一項に記載のシステム。
【請求項１９】
前記検知された刺激信号を含む第１の信号、および前記検知された運動信号を含む第２の信号を送信するように構成されるワイヤレス送信アセンブリと、
前記第１の信号と前記第２の信号の両方を受信するための前記１つの監視システムと共に含まれるワイヤレス受信アセンブリと、
をさらに備える、請求項１２から１８のいずれか一項に記載のシステム。
【請求項２０】
被験者の刺激反応を監視する方法であって、
運動検知構成要素の運動を決定するために前記運動検知構成要素からの受信信号を評価するステップと、
刺激に応答している現在の受信刺激応答を、決定されたベースラインの刺激応答と比較することによって、前記現在の受信刺激応答が、決定されたベースラインの刺激応答と異なるかどうかを決定するステップと、
前記現在の受信刺激応答が、前記決定されたベースラインの刺激応答と異なる場合、前記決定された相違が、前記運動検知構成要素の前記決定された運動に基づく運動によるものであるかどうかを決定するステップと、
前記決定された相違が、前記決定された運動に関するかどうかの出力を出力するステップと
を含む、方法。
【請求項２１】
前記出力が、前記決定された相違が、前記決定された運動に関するというメッセージをユーザに提示するステップを含む、請求項２０に記載の方法。
【請求項２２】
前記決定された相違が、決定された運動によるものであるかどうかの前記決定を出力するステップが、前記現在の受信刺激応答を使用して新しいベースラインを決定するステップを含む、請求項２０または２１に記載の方法。
【請求項２３】
前記被験者の運動に関する被験者運動センサからの信号を評価するステップと、
前記被験者の前記評価された運動を、前記運動検知構成要素からの前記受信信号の前記評価と比較するステップと、
前記比較に基づいて、前記被験者の前記運動が、前記運動検知構成要素からの前記受信信号の前記評価に類似しているかどうかを決定するステップと、
前記被験者の前記運動が、前記運動検知構成要素からの前記受信信号の前記評価に類似している場合、前記出力として警告メッセージを前記ユーザに送るステップと
をさらに含む、請求項２０から２２のいずれか一項に記載の方法。
【請求項２４】
加速度計、ジャイロスコープ、または磁力計のうちの少なくとも２つを有する前記運動検知構成要素から前記信号を送信するステップ
をさらに含む、請求項２０から２３のいずれか一項に記載の方法。
【請求項２５】
前記運動検知構成要素からの前記受信信号を評価するステップが、前記受信信号に基づいて前記運動検知構成要素の運動を決定するために、プロセッサで命令を実行するステップを含む、請求項２４に記載の方法。
【請求項２６】
前記決定された相違が、前記運動検知構成要素の決定された運動に基づく前記運動によるものかどうかを決定するステップが、前記運動検知構成要素の前記決定された運動と、前記現在の受信刺激応答との少なくとも時間の相関性を決定するために、前記プロセッサで命令を実行するステップ含む、請求項２５に記載の方法。
【請求項２７】
チューブの筐体の外部に接続された接点を提供するステップと、
第１の場所で前記被験者と接触して設置されるように前記チューブおよび前記接点を構成するステップと
をさらに含む、請求項２０から２６のいずれか一項に記載の方法。